(57)【要約】【課題】好適に筐体を組立可能な電子機器を提供する。【解決手段】携帯電話機１は、第２筐体５と、第２筐体５に収容された電子部品とを有する。第２筐体５は、背面部５ｂを構成するリアケース３７と、リアケース３７に取り付けられ、外周面部５ｃの一部である通信面部５ｅを構成する赤外線通信用パネル４１とを有する。赤外線通信用パネル４１は、通信面部５ｅから筐体内部側への方向をリアケース３７への取付方向ｙ１とし、リアケース３７の背面部構成面部３７ｂの端部が赤外線通信用パネル４１の外側当接部５３と内側当接部５５との間へ取付方向ｙ１に平行な方向において挿入されることにより、リアケース３７に取り付けられている。【選択図】図３
2009059754.tif 000002
【特許請求の範囲】
【請求項１】
所定面部と、当該所定面部に対して立設され、前記所定面部の外周を囲む外周面部とを有する筐体と、
前記筐体に収容された電子部品と、
を有し、
前記筐体は、
前記所定面部を構成する第１ケース部材と、
前記第１ケース部材に取り付けられ、前記外周面部の一部を構成する組込部材と、
を有し、
前記組込部材は、前記外周面部の前記一部から筐体内部側への方向を前記第１ケース部材への取付方向とし、前記組込部材及び前記第１ケース部材の一方の一部が他方へ前記取付方向に平行な方向において挿入されることにより、前記第１ケース部材に取り付けられている
電子機器。
【請求項２】
前記組込部材は、
前記外周面部の前記一部となる外周面部一部構成部と、
前記外周面部一部構成部から前記取付方向に延び、前記第１ケース部材の、前記所定面部を構成する所定面部構成面部の筐体外部側の面に当接する外側当接部と、
前記外周面部一部構成部から前記取付方向に延び、前記所定面部構成面部の筐体内部側の面に当接する内側当接部と、
を有し、
前記所定面部構成面部の端部が前記外側当接部と前記内側当接部との間に前記取付方向の反対方向へ挿入されることにより、前記第１ケース部材に取り付けられている
請求項１に記載の電子機器。
【請求項３】
前記外側当接部は、前記所定面部構成面部が前記外側当接部と前記内側当接部との間に挿入されているときに前記所定面部構成面部に対して前記取付方向とは反対方向へ係合する組込係合部を有する
請求項２に記載の電子機器。
【請求項４】
前記第１ケース部材は、前記内側当接部に対して、前記外周面部の前記一部及び前記所定面部に沿う方向において当接する位置規制部を有する
請求項２又は３に記載の電子機器。
【請求項５】
前記筐体は、前記第１ケース部材と固定され、前記所定面部と対向する対向面部を構成する第２ケース部材を有し、
前記内側当接部は、互いに固定された前記第１ケース部材と前記第２ケース部材とに挟持されている
請求項２〜４のいずれか１項に記載の電子機器。
【請求項６】
前記筐体は、前記第１ケース部材と固定され、前記所定面部と対向する対向面部を構成する第２ケース部材を有し、
前記内側当接部は、前記所定面部側から前記対向面部側へ突出し、前記第２ケース部材の前記対向面部を構成する面部に設けられた穴部に嵌合する突部を有する
請求項２〜４のいずれか１項に記載の電子機器。
【請求項７】
前記筐体は、前記第１ケース部材と固定され、前記所定面部と対向する対向面部を構成する第２ケース部材を有し、
前記内側当接部は、
前記所定面部側から前記対向面部側に突出し、前記外周面部の前記一部の内側面に対向する第１板状部と、
前記対向面部に交差するように前記第１板状部から前記取付方向に延びる第２板状部と、
を有し、
前記第２板状部の前記所定面部側の部分は、前記位置規制部に形成された前記取付方向に延びる溝部に嵌合され、
前記第１板状部、及び、前記第２板状部の前記対向面部側の部分は、記第２ケース部材の前記対向面部を構成する面部に設けられた穴部に嵌合している
請求項４に記載の電子機器。
【請求項８】
前記組込部材は、前記第１ケース部材の、前記所定面部を構成する所定面部構成面部の筐体外側面を覆う被覆部を有する
請求項１〜７のいずれか１項に記載の電子機器。
【請求項９】
前記筐体は、前記所定面部構成面部の筐体外側面を覆い、前記被覆部に隣接する被覆部材を更に有し、
前記被覆部材は、前記被覆部の内側面に対して筐体外部側へ係合する被覆係合部を有する
請求項８に記載の電子機器。
【請求項１０】
前記組込部材は、赤外線を透過可能な材料により構成され、
前記電子部品は、前記組込部材を透過する赤外線による通信を行う赤外線通信部品である
請求項１〜９のいずれか１項に記載の電子機器。
【発明の詳細な説明】
【技術分野】
【０００１】
本発明は、携帯電話機、デジタルカメラ、ＰＤＡ、ノートパソコン、ゲーム機等の電子機器に関する。
【背景技術】
【０００２】
複数の部材により筐体が構成された電子機器が知られている。例えば、特許文献１では、赤外線通信を行うために、赤外線を透過可能な材料により形成された赤外線通信用パネルが、筐体の一部として筐体に組み込まれた携帯電話機が開示されている。なお、携帯電話機において、赤外線通信用パネルは、薄型直方体状の筐体の端面に組み込まれていることが多い。
【０００３】
図１１（ａ）及び図１１（ｂ）は、従来における、赤外線通信用パネルの取付方法を説明する図である。図１１（ｂ）に示すように、筐体２０１の大部分は、フロントケース２０３とリアケース２０５とが互いに対向して組み合わされることにより構成される。赤外線通信用パネル２０７は、筐体２０１の端面２０１ａの一部を構成している。
【０００４】
図１１（ａ）に示すように、赤外線通信用パネル２０７は、フロントケース２０３とリアケース２０５とを組み合わせる前に、リアケース２０５に対して組み込まれる。具体的には、リアケース２０５には、フロントケース２０３及びリアケース２０５の対向方向、且つ、筐体内部側から筐体外部側へ延びる嵌合凹部２０５ａが形成されており、赤外線通信用パネル２０７は、被嵌合部２０７ａが嵌合凹部２０５ａに挿入されることによりリアケース２０５に対して仮固定される。すなわち、赤外線通信用パネル２０７は、リアケース２０５に対して、端面２０１ａに沿う方向を取付方向として組み込まれる。別の観点では、赤外線通信用パネル２０７は、リアケース２０５に対して、フロントケース２０３とリアケース２０５との組み合わせ方向（対向方向）に組み込まれる。
【０００５】
その後、図１１（ｂ）に示すように、フロントケース２０３とリアケース２０５とがネジ等により固定されることにより、赤外線通信用パネル２０７は、フロントケース２０３とリアケース２０５とに挟持される。
【特許文献１】特開２００１−３２０４５８号公報
【発明の開示】
【発明が解決しようとする課題】
【０００６】
従来の、筐体の一部を構成する構成部材（赤外線通信用パネル２０７）の組み込み方法は、構成部材が、ケース部材（リアケース２０５）に対して、その構成部材が構成する面（端面２０１ａ）に沿う方向に組み込まれることから、種々の問題を生じる。
【０００７】
例えば、赤外線通信用パネル２０７は、リアケース２０５の内部側から外部側へ挿入される以上、リアケース２０５の外部側（リアケース２０５の背面側、図１１（ａ）の紙面奥手側、図１１（ｂ）の紙面左側）を覆うような部分を有することはできない。すなわち、設計上の制約が生じる。
【０００８】
その結果、例えば、意匠的な理由等から、赤外線通信用パネル２０７をリアケース２０５の端部側（図１１の紙面上方側）だけでなく、背面側（図１１（ａ）の紙面奥手側、図１１（ｂ）の紙面左側）にも、端部側から連続して露出させるためには、赤外線通信用パネル２０７を肉厚にする（図１１（ａ）及び図１１（ｂ）の紙面上下方向に厚くする）とともに、赤外線通信用パネル２０７がリアケース２０５を貫通するように構成する等の方法をとらなければならないことになる。しかし、赤外線通信用パネル２０７を肉厚にすると、射出成形により赤外線通信用パネル２０７を形成する過程において、金型に射出された樹脂が凝固の際に収縮することに起因して生じるいわゆるヒケが生じ、外観が損なわれる。
【０００９】
本発明の目的は、好適に筐体を組立可能な電子機器を提供することにある。
【課題を解決するための手段】
【００１０】
本発明の携帯電子機器は、所定面部と、当該所定面部に対して立設され、前記所定面部の外周を囲む外周面部とを有する筐体と、前記筐体に収容された電子部品と、を有し、前記筐体は、前記所定面部を構成する第１ケース部材と、前記第１ケース部材に取り付けられ、前記外周面部の一部を構成する組込部材と、を有し、前記組込部材は、前記外周面部の前記一部から筐体内部側への方向を前記第１ケース部材への取付方向とし、前記組込部材及び前記第１ケース部材の一方の一部が他方へ前記取付方向に平行な方向において挿入されることにより、前記第１ケース部材に取り付けられている。
【００１１】
好適には、前記組込部材は、前記外周面部の前記一部となる外周面部一部構成部と、前記外周面部一部構成部から前記取付方向に延び、前記第１ケース部材の、前記所定面部を構成する所定面部構成面部の筐体外部側の面に当接する外側当接部と、前記外周面部一部構成部から前記取付方向に延び、前記所定面部構成面部の筐体内部側の面に当接する内側当接部と、を有し、前記所定面部構成面部の端部が前記外側当接部と前記内側当接部との間に前記取付方向の反対方向へ挿入されることにより、前記第１ケース部材に取り付けられている。
【００１２】
好適には、前記外側当接部は、前記所定面部構成面部が前記外側当接部と前記内側当接部との間に挿入されているときに前記所定面部構成面部に対して前記取付方向とは反対方向へ係合する組込係合部を有する。
【００１３】
好適には、前記第１ケース部材は、前記内側当接部に対して、前記外周面部の前記一部及び前記所定面部に沿う方向において当接する位置規制部を有する。
【００１４】
好適には、前記筐体は、前記第１ケース部材と固定され、前記所定面部と対向する対向面部を構成する第２ケース部材を有し、前記内側当接部は、互いに固定された前記第１ケース部材と前記第２ケース部材とに挟持されている。
【００１５】
好適には、前記筐体は、前記第１ケース部材と固定され、前記所定面部と対向する対向面部を構成する第２ケース部材を有し、前記内側当接部は、前記所定面部側から前記対向面部側へ突出し、前記第２ケース部材の前記対向面部を構成する面部に設けられた穴部に嵌合する突部を有する。
【００１６】
好適には、前記筐体は、前記第１ケース部材と固定され、前記所定面部と対向する対向面部を構成する第２ケース部材を有し、前記内側当接部は、前記所定面部側から前記対向面部側に突出し、前記外周面部の前記一部の内側面に対向する第１板状部と、前記対向面部に交差するように前記第１板状部から前記取付方向に延びる第２板状部と、を有し、前記第２板状部の前記所定面部側の部分は、前記位置規制部に形成された前記取付方向に延びる溝部に嵌合され、前記第１板状部、及び、前記第２板状部の前記対向面部側の部分は、記第２ケース部材の前記対向面部を構成する面部に設けられた穴部に嵌合している。
【００１７】
好適には、前記組込部材は、前記第１ケース部材の、前記所定面部を構成する所定面部構成面部の筐体外側面を覆う被覆部を有する。
【００１８】
好適には、前記筐体は、前記所定面部構成面部の筐体外側面を覆い、前記被覆部に隣接する被覆部材を更に有し、前記被覆部材は、前記被覆部の内側面に対して筐体外部側へ係合する被覆係合部を有する。
【００１９】
好適には、前記組込部材は、赤外線を透過可能な材料により構成され、前記電子部品は、前記組込部材を透過する赤外線による通信を行う赤外線通信部品である。
【発明の効果】
【００２０】
本発明によれば、好適に筐体を組立可能である。
【発明を実施するための最良の形態】
【００２１】
図１は、本発明の実施形態に係る電子機器としての携帯電話機１の外観を示す斜視図である。携帯電話機１は、開閉可能に構成されており、図１は、開状態を示している。
【００２２】
携帯電話機１は、いわゆる２軸ヒンジを有する携帯電話機として構成されている。具体的には、携帯電話機１は、第１筐体３と、第２筐体５と、第１筐体３と第１回転軸ＲＡ１回りに回転可能に連結されるとともに、第２筐体５と第２回転軸ＲＡ２回りに回転可能に連結される連結筐体７とを有している。第１筐体３、第２筐体５及び連結筐体７は、携帯電話機１全体の筐体を構成している。第１回転軸ＲＡ１及び第２回転軸ＲＡ２は、互いに直交する方向に延びている。
【００２３】
第１筐体３には、例えば、通話用のマイクロフォン９５（図１０参照）の収音孔９、ユーザの操作を受け付けるメイン操作部１１が設けられている。第２筐体５には、例えば、通話用のスピーカ９７（図１０参照）の放音孔１５、図形や文字等を含む画像を表示するメイン表示部１７及びサブ表示部（図１では不図示）が設けられている。
【００２４】
また、第２筐体５には、赤外線を利用した無線通信を行うための赤外線通信部２１が設けられている。赤外線通信部２１は、例えば、他の携帯電話機との間で、各携帯電話機の保持している、電話番号やメールアドレス等の情報を交換するのに用いられる。
【００２５】
赤外線通信部２１は、例えば、第２筐体５の連結筐体７とは反対側の端部５ｄに設けられている。第２筐体５は、メイン表示部１７が露出する側の正面部５ａと、正面部５ａとは反対側の背面部５ｂと、正面部５ａ及び背面部５ｂに立設され、正面部５ａ及び背面部５ｂの外周を囲む外周面部５ｃとを有しており、赤外線通信の際には、携帯電話機１の端部５ｄ同士が突き合わされ、外周面部５ｃのうち端部５ｄ側の一部（通信面部５ｅ）を介して赤外線が送信及び受信される。
【００２６】
図２は、第２筐体５の分解斜視図である。図２の紙面上方側は第２筐体５の正面部５ａ側であり、図２の紙面左側は第２筐体５の端部５ｄ側である。図２では、スピーカ等の一部の部品や部材の図示が適宜に省略されている。
【００２７】
第２筐体５においては、正面部５ａ側から、フロントパネル２５、フロントケース２７、メイン表示装置２９、シールド部材３１、回路基板３３、サブ表示装置３５、リアケース３７、リアパネル３９が積層されている。また、端部５ｄ（紙面左側）側には、赤外線通信用パネル４１が配置されている。
【００２８】
第２筐体５は、フロントパネル２５、フロントケース２７、リアケース３７、リアパネル３９、赤外線通信用パネル４１を含んで構成されている。メイン表示装置２９、シールド部材３１、回路基板３３及びサブ表示装置３５は、フロントケース２７とリアケース３７とが互いに固定されることにより、フロントケース２７とリアケース３７とに挟持される。
【００２９】
メイン表示装置２９及びサブ表示装置３５は、例えば、液晶表示装置や有機ＥＬ表示装置により構成されている。回路基板３３は、例えば、硬質の樹脂をベースとしたプリント配線基板により構成されている。シールド部材３１は、例えば、金属により構成されている。
【００３０】
フロントパネル２５は、正面部５ａの筐体外側面の大部分を構成する部材である。フロントパネル２５は、例えば、概ね平板状に形成されている。フロントパネル２５は、例えば、透光性を有する樹脂基板に対して、外周側部分に遮光性の塗装膜や金属層が形成されることにより構成されており、メイン表示装置２９の表示面を露出可能となっている。
【００３１】
フロントケース２７は、主として、正面部５ａの筐体内部側の部分、及び、外周面部５ｃの正面部５ａ側の部分を構成する部材であり、正面部５ａを構成する正面部構成面部２７ａと、外周面部５ｃを構成する外周面部構成面部２７ｃとを有している。正面部構成面部２７ａには、メイン表示装置２９を露出させるための開口が形成されている。フロントケース２７は、例えば、樹脂により一体成形されている。
【００３２】
リアケース３７は、主として、背面部５ｂの筐体内部側の部分、及び、外周面部５ｃの背面部５ｂ側の部分を構成する部材であり、背面部５ｂを構成する背面部構成面部３７ｂと、外周面部５ｃを構成する外周面部構成面部３７ｃとを有している。背面部構成面部３７ｂには、サブ表示装置３５を露出させるための開口が形成されている。リアケース３７は、例えば、樹脂により一体成形されている。
【００３３】
リアパネル３９は、背面部５ｂの筐体外側面の大部分を構成する部材である。リアパネル３９は、例えば、概ね平板状に形成されている。リアパネル３９は、例えば、透光性を有する樹脂に対して、外周側部分に遮光性の塗装膜や金属層が形成されて構成されており、サブ表示装置３５の表示面を露出可能となっている。
【００３４】
赤外線通信用パネル４１は、主として、通信面部５ｅを構成する部材である。赤外線通信用パネル４１は、例えば、透光性を有する樹脂により形成されており、赤外線を透過可能である。
【００３５】
フロントパネル２５は、例えば、接着剤や両面テープ等の適宜な固定部材によりフロントケース２７の正面部構成面部２７ａに固定されている。フロントケース２７とリアケース３７とは、例えば、一方に挿通された不図示のネジが他方に螺合されることにより固定される。なお、図２では、ネジが挿通される孔部２７ｓがフロントケース２７に、ネジが螺合されるネジボス３７ｓがリアケース３７に形成されている場合を例示している。なお、フロントケース２７の外周面部構成面部２７ｃは、大部分がリアケース３７の外周面部構成面部３７ｃ内に嵌合される。すなわち、外周面部５ｃの筐体外側面の大部分は、リアケース３７の外周面部構成面部３７ｃにより構成される。
【００３６】
赤外線通信用パネル４１は、リアケース３７に仮固定された後、フロントケース２７とリアケース３７とが固定されることにより、最終的に固定される。具体的には、以下のとおりである。
【００３７】
図３及び図４は、赤外線通信用パネル４１の仮固定方法を説明する図である。図３は、仮固定前のリアケース３７及び赤外線通信用パネル４１を示す筐体内部側から見た斜視図である。図４は、仮固定後のリアケース３７及び赤外線通信用パネル４１を示す筐体内部側から見た斜視図である。
【００３８】
図３に示すように、赤外線通信用パネル４１は、矢印で示す方向を取付方向ｙ１としてリアケース３７へ取り付けられる。取付方向ｙ１は、外周面部５ｃの端部５ｄ側の部分から筐体内部側への方向である。換言すれば、取付方向ｙ１は、背面部５ｂに沿うとともに、通信面部５ｅに交差する方向である。
【００３９】
赤外線通信用パネル４１は、第２筐体５の外周面部５ｃの端部５ｄ側の一部（通信面部５ｅ）を構成する外周面部一部構成部５１と、外周面部一部構成部５１から取付方向ｙ１に延びる外側当接部５３（図３）並びに内側当接部５５Ａ及び５５Ｂ（以下、Ａ及びＢを省略することがある。）とを有している。
【００４０】
外周面部一部構成部５１は、例えば、リアケース３７の外周面部構成面部３７ｃに形成された切り欠き部に嵌合する形状に形成されている。具体的には、外周面部一部構成部５１は、例えば、曲面状の概ね板状に形成されており、外周面部５ｃの端部５ｄ側の大部分を構成している。外周面部一部構成部５１の、リアケース３７の背面部構成面部３７ｂからの高さは、リアケース３７の外周面部構成面部３７ｃの、背面部構成面部３７ｂからの高さと同等に設定されている。
【００４１】
外側当接部５３は、例えば、図３の紙面左右方向（背面部５ｂ及び外周面部一部構成部５１に沿う方向）において対称となる位置に２つ設けられている。外側当接部５３は、例えば、概ね、背面部５ｂに沿う板状に形成されており、図４に示すように、リアケース３７の背面部構成面部３７ｂの筐体外側の面に当接する。
【００４２】
外側当接部５３の先端には、筐体内部側へ突出する爪部５７が形成されている。爪部５７は、リアケース３７の背面部構成面部３７ｂに形成された係合孔５９に挿入されて、リアケース３７に対して、赤外線通信用パネル４１の取付方向ｙ１とは反対側に係合可能である。
【００４３】
内側当接部５５Ａは、例えば、図３の紙面左右方向において外周面部一部構成部５１の両側に設けられている。内側当接部５５Ａは、平面視においてＴ字状となる板状部を含んで構成されている。すなわち、内側当接部５５Ａは、外周面部一部構成部５１の内側面に対向して設けられた第１板状部６１と、第１板状部６１から取付方向ｙ１に延びる第２板状部６３とを有している。第１板状部６１は、内側当接部５５Ａの正面部５ａ側（図３の紙面手前側）の一部においてのみ設けられている。なお、第２板状部６３の正面部５ａ側の部分と、第１板状部６１とは、内側当接部５５Ａにおける、背面部５ｂ側から正面部５ａ側に突出する突部を構成している。
【００４４】
内側当接部５５Ｂは、例えば、図３の紙面左右方向において中央に設けられている。内側当接部５５Ｂは、概ね、内側当接部５５Ａから第１板状部６１を省略した構成となっている。
【００４５】
内側当接部５５は、図４に示すように、リアケース３７の背面部構成面部３７ｂの筐体内部側の面に当接する。具体的には、第２板状部６３の背面部５ｂ側の縁部が背面部構成面部３７ｂの筐体内部側の面に当接する。
【００４６】
リアケース３７の背面部構成面部３７ｂの筐体内部側の面には、内側当接部５５の第２板状部６３を取付方向ｙ１に挿入可能な溝部が形成された位置規制部６５が設けられている。位置規制部６５は、例えば、背面部構成面部３７ｂから筐体内部側に突出し、取付方向ｙ１に直交する方向において互いに対向する２つのリブを有している。溝部は、リブの隙間により形成され、取付方向ｙ１に延びている。
【００４７】
以上の構成を有する赤外線通信用パネル４１の仮固定においては、赤外線通信用パネル４１が取付方向ｙ１にリアケース３７に対して近接されると、リアケース３７の背面部構成面部３７ｂの端部が、外側当接部５３と内側当接部５５との間に、取付方向ｙ１に平行な方向に挿入される。そして、赤外線通信用パネル４１の外周面部一部構成部５１の内側面が背面部構成面部３７ｂの縁部に当接すると同時に、外側当接部５３の爪部５７がリアケース３７の係合孔５９に嵌り込み、リアケース３７に係合する。これにより、赤外線通信用パネル４１は、リアケース３７に対して組み込まれる。
【００４８】
また、上記の組込の際には、内側当接部５５の第２板状部６３の、背面部５ｂ側の部分が、位置規制部６５の溝部に挿入される。これにより、図３の紙面左右方向（外周面部一部構成部５１及び背面部構成面部３７ｂに沿う方向）の位置規制がより堅固になされる。
【００４９】
図５〜図６は、赤外線通信用パネル４１の仮固定後に、フロントケース２７とリアケース３７とが固定されることにより、赤外線通信用パネル４１が最終的に固定される様子を説明する図である。図５は、最終的な固定の前の状態を示す斜視図である。図６は、最終的な固定の後の状態を示す斜視図である。図７は、図６のＶＩＩ−ＶＩＩ線矢視方向の断面図である。
【００５０】
上述のように、赤外線通信用パネル４１の内側当接部５５Ａは、平面視においてＴ字状に形成され、フロントケース２７側に突出する突部（第１板状部６１及び第２板状部６３）を有している。一方、図５及び図６に示すように、フロントケース２７の正面部構成面部２７ａには、Ｔ字状の嵌合孔６７が形成されている。
【００５１】
そして、フロントケース２７の外周面部構成面部２７ｃがリアケース３７の外周面部構成面部３７ｃ内に嵌合されるように、フロントケース２７とリアケース３７とが組み合わされると、内側当接部５５ＡのＴ字状の突部は嵌合孔６７に嵌合する。これにより、赤外線通信用パネル４１の、背面部５ｂに沿う方向の位置決めが更に強固になされる。
【００５２】
また、図７に示すように、内側当接部５５Ａが嵌合孔６７に挿入されていくと、フロントケース２７の外周面部構成面部２７ｃの端部５ｄ側（図７の紙面上方側）の部分は、赤外線通信用パネル４１の外周面部一部構成部５１と第１板状部６１との間に挿入され、内側当接部５５Ａの根元側に当接する。従って、内側当接部５５Ａは、フロントケース２７とリアケース３７とにより挟持される。これにより、赤外線通信用パネル４１は、更に強固にフロントケース２７及びリアケース３７に対して固定される。なお、挟持される部分は、図４から読解されるように、内側当接部５５Ａの根元だけでなく、内側当接部５５の周囲等にも設けられている。
【００５３】
図８及び図９は、リアパネル３９の取付方法を説明する図である。図８は、リアパネル３９を取り外した状態で示す第２筐体５の一部の斜視図である。図９（ａ）は、リアパネル３９を取り付けた状態で示す第２筐体５の一部の平面図であり、図９（ｂ）は、図９（ａ）のＩＸｂ−ＩＸｂ線における断面図である。
【００５４】
図７及び図９（ｂ）に示すように、赤外線通信用パネル４１は、リアケース３７の背面部構成面部３７ｂの筐体外側面の端部を覆う背面部一部構成部６９を有している。なお、背面部一部構成部６９は、背面部５ｂのうち、外周面部５ｃに連続する端部の外側面を構成している。背面部一部構成部６９は、例えば、曲面状の板状に形成されており、外周面部一部構成部５１に交差するように連続している。従って、赤外線通信用パネル４１は、筐体外側面を構成する断面Ｌ字の板状部分を有していることになる。
【００５５】
図８に示すように、背面部５ｂ側のうち、互いに固定されたリアケース３７及び赤外線通信用パネル４１により構成される部分には凹部７１が形成されている。リアパネル３９は、当該凹部７１に嵌合される。凹部７１の端部５ｄ側の壁面は、背面部一部構成部６９により形成されている。
【００５６】
リアパネル３９の端部５ｄ側の縁部中央には、端部５ｄ側へ突出する係合部３９ａが形成されている。一方、図９に示すように、赤外線通信用パネル４１の背面部一部構成部６９のうち係合部３９ａに対応する位置は肉薄に形成されており、背面部一部構成部６９とリアケース３７の背面部構成面部３７ｂとの間には、係合部３９ａが挿入される隙間が形成されている。
【００５７】
従って、リアパネル３９は、係合部３９ａを背面部一部構成部６９とリアケース３７との隙間に挿入させつつ、凹部７１に嵌合される。そして、係合部３９ａが背面部一部構成部６９の内側面に対して筐体外側へ係合することにより、リアパネル３９の脱落が防止される。なお、リアパネル３９とリアケース３７とは、更に、接着剤や両面テープ等の接着部材によって固定されてもよい。
【００５８】
図１０は、携帯電話機１の信号処理系の構成を示すブロック図である。携帯電話機１は、ＣＰＵ８５、メモリ８６、電波通信処理部８７、音響処理部９１、画像処理部９３及び赤外線通信処理部１０３を備えている。これら各部は例えば第１筐体３内に設けられた不図示の回路基板や第２筐体５内の回路基板３３に設けられたＩＣ等により構成されている。
【００５９】
電波通信処理部８７は、高周波回路を含んで構成されている。電波通信処理部８７は、電波を利用した遠距離無線通信を行うために、ＣＰＵ８５で処理された音響データ、画像データ等の各種データを変調して、アンテナ８９を介して送信する。また、電波通信処理部８７は、アンテナ８９を介して受信した信号を復調してＣＰＵ８５に出力する。
【００６０】
音響処理部９１は、ＣＰＵ８５からの音響データを電気信号に変換して通話用のスピーカ９７、着信等を報知するためのスピーカ９９に出力する。スピーカ９７及びスピーカ９９は、音響処理部９１からの電気信号を音響に変換して出力する。一方、マイクロフォン９５は、入力された音響を電気信号に変換して音響処理部９１に出力する。音響処理部９１は、マイクロフォン９５からの電気信号を音響データに変換してＣＰＵ８５に出力する。
【００６１】
画像処理部９３は、ＣＰＵ８５からの画像データを画像信号に変換してメイン表示部１７等へ出力する。また、撮像部１０１から出力される撮像信号（画像データ）を所定のフォーマットの画像データに変換してＣＰＵ８５へ出力する。
【００６２】
赤外線通信処理部１０３は、赤外線を利用した近距離無線通信を行うために、ＣＰＵ８５で処理された電話番号やメールアドレス等の各種情報のデータを変調して、発光素子１０５を介して送信する。また、赤外線通信処理部１０３は、受光素子１０７を介して受信した信号を復調してＣＰＵ８５に出力する。
【００６３】
発光素子１０５及び受光素子１０７は、第２筐体５内に収容されている（図６参照）。具体的には、発光素子１０５及び受光素子１０７は、赤外線通信用パネル４１の外周面部一部構成部５１に対向して設けられている。発光素子１０５から出力された赤外線は、外周面部一部構成部５１を透過して他の携帯電話機等へ送信される。また、他の携帯電話機等から送信された赤外線は、外周面部一部構成部５１を透過して受光素子１０７に入力される。
【００６４】
以上の実施形態によれば、携帯電話機１は、背面部５ｂと、背面部５ｂに対して立設され、背面部５ｂの外周を囲む外周面部５ｃとを有する第２筐体５と、第２筐体５に収容された発光素子１０５や受光素子１０７等の電子部品を有し、第２筐体５は、背面部５ｂを構成するリアケース３７と、リアケース３７に取り付けられ、外周面部５ｃの一部（通信面部５ｅ）を構成する赤外線通信用パネル４１とを有し、赤外線通信用パネル４１は、通信面部５ｅから筐体内部側への方向をリアケース３７への取付方向ｙ１とし、リアケース３７及び赤外線通信用パネル４１の一部が他方へ取付方向ｙ１に平行な方向において挿入されることにより、リアケース３７に取り付けられていることから、従来にない組み立て方法が提供され、従来生じていた問題の少なくとも一つが解消される。
【００６５】
例えば、赤外線通信用パネル４１は、外周面部５ｃを構成する部材でありながら、図１１を参照して説明した赤外線通信用パネル２０７とは異なり、リアケース３７の背面側を覆うように構成することも可能である。
【００６６】
赤外線通信用パネル４１は、外周面部５ｃの一部（通信面部５ｅ）となる外周面部一部構成部５１と、外周面部一部構成部５１から取付方向ｙ１に延び、リアケース３７の、背面部５ｂを構成する背面部構成面部３７ｂの筐体外部側の面に当接する外側当接部５３と、外周面部一部構成部５１から取付方向ｙ１に延び、背面部構成面部３７ｂの筐体内部側の面に当接する内側当接部５５とを有し、背面部構成面部３７ｂの端部が外側当接部５３と内側当接部５５との間に取付方向ｙ１の反対方向へ挿入されることにより、リアケース３７に取り付けられていることから、リアケース３７の背面部構成面部３７ｂを利用して赤外線通信用パネル４１の取付ができるとともに、背面部構成面部３７ｂに直交する方向の位置決めが好適になされる。
【００６７】
外側当接部５３は、背面部構成面部３７ｂが外側当接部５３と内側当接部５５との間に挿入されているときに背面部構成面部３７ｂに対して取付方向ｙ１とは反対方向へ係合する爪部５７を有することから、赤外線通信用パネル４１のリアケース３７からの脱落がより確実に防止される。
【００６８】
リアケース３７は、内側当接部５５に対して通信面部５ｅ及び背面部５ｂに沿う方向において当接する位置規制部６５を有することから、通信面部５ｅ及び背面部５ｂに沿う方向における赤外線通信用パネル４１のリアケース３７に対する位置決めがより確実になされるとともに、当該位置決めに、リアケース３７の背面部構成面部３７ｂを外側当接部５３とで挟み込む内側当接部５５が重複的に利用されることになり、構成が簡素化される。
【００６９】
第２筐体５は、背面部５ｂと対向する正面部５ａを構成し、リアケース３７と固定されるフロントケース２７を更に有し、内側当接部５５は、互いに固定されたリアケース３７とフロントケース２７とに挟持されることから、赤外線通信用パネル４１がより確実にリアケース３７等に対して固定されるとともに、リアケース３７の背面部構成面部３７ｂを外側当接部５３とで挟み込む内側当接部５５が被挟持部として兼用されることになり、構成が簡素化される。
【００７０】
また、内側当接部５５Ａは、背面部５ｂ側から正面部５ａ側に突出し、フロントケース２７の正面部５ａを構成する正面部構成面部に設けられた嵌合孔６７に嵌合する突部（第１板状部６１及び第２板状部６３の一部）を有することから、赤外線通信用パネル４１の脱落がより確実に防止されるとともに、リアケース３７の背面部構成面部３７ｂを外側当接部５３とで挟み込む内側当接部５５が有効利用される。
【００７１】
内側当接部５５Ａは、背面部５ｂ側から正面部５ａに突出し、通信面部５ｅの内側面に対向して設けられた第１板状部６１と、正面部５ａに交差するとともに第１板状部６１から取付方向ｙ１に延びる第２板状部６３とを有し、第１板状部６１、及び、第２板状部６３の正面部５ａ側の部分は、フロントケース２７の正面部５ａを構成する正面部構成面部２７ａに設けられた嵌合孔６７に嵌合し、第２板状部６３の正面部５ａ側の部分は、位置規制部６５の溝部に挿入されることから、第１板状部６１により取付方向ｙ１に平行な方向における位置決めを堅固に行いつつ、第２板状部６３により取付方向ｙ１に交差する方向における位置決めを堅固に行うことができる。すなわち、比較的簡便な形状で、内側当接部５５Ａを複数の用途に有効利用できる。
【００７２】
赤外線通信用パネル４１は、リアケース３７の、背面部５ｂを構成する背面部構成面部３７ｂの筐体外側面を覆う背面部一部構成部６９を有することから、図１１を参照して説明したように、肉厚にしなくても、第２筐体５の背面側に赤外線通信用パネル４１を露出させることができる。その結果、赤外線通信用パネル４１が肉厚になること等が防止される。
【００７３】
第２筐体５は、背面部構成面部３７ｂの筐体外側面を覆い、背面部一部構成部６９に隣接するリアパネル３９を有し、リアパネル３９は、背面部一部構成部６９の内側面に対して筐体外部側へ係合する係合部３９ａを有することから、赤外線通信用パネル４１は、リアパネル３９の係合にも利用されることになる。このリアパネル３９を赤外線通信用パネル４１に係合させる構成は、赤外線通信用パネル４１を取付方向ｙ１に挿入する構成として、赤外線通信用パネル４１をリアケース３７の背面側を覆うことを可能としたことにより実現されるものである。
【００７４】
なお、以上の実施形態において、携帯電話機１は本発明の電子機器の一例であり、背面部５ｂは所定面部の一例であり、リアケース３７は本発明の第１ケース部材の一例であり、赤外線通信用パネル４１は本発明の組込部材の一例であり、リアケース３７の背面部構成面部３７ｂは本発明の所定面部構成面部の一例であり、爪部５７は本発明の組込係合部の一例であり、正面部５ａは本発明の対向面部の一例であり、フロントケース２７は本発明の第２ケース部材の一例であり、第１板状部６１及び第２板状部６３の一部は本発明の突部の一例であり、嵌合孔６７は本発明の穴部の一例であり、リアパネル３９は本発明の被覆部材の一例であり、背面部一部構成部６９は本発明の被覆部の一例であり、係合部３９ａは本発明の被覆係合部の一例であり、発光素子１０５及び受光素子１０７はそれぞれ本発明の電子部品及び赤外線通信部品の一例である。
【００７５】
本発明は、以上の実施形態に限定されず、種々の態様で実施されてよい。
【００７６】
電子機器は、携帯電話機に限定されない。例えば、デジタルカメラ、ＰＤＡ、ノートパソコン、ゲーム機であってもよい。また、電子機器は、携帯電子機器に限定されず、プリンタやコピー機のように据付のものであってもよい。
【００７７】
筐体は、第１ケース部材及び組込部材を有していればよく、第２ケース部材及び被覆部材は本発明の必須の要件ではない。所定面部及び外周面部は、筐体の互いに交差する面部のいずれであってもよい。例えば、実施形態における正面部５ａを所定面部としてもよい。また、例えば、実施形態における４平面部からなる外周面部５ｃのうちの１平面部を所定面部とし、当該所定面部を囲む、正面部５ａ、背面部５ｂ及び外周面部５ｃの２平面部を外周面部とすることも可能である。所定面部及び外周面部は、適宜に複数のケース部材に割り当てられてよい。例えば、第１ケース部材が所定面部のみを有し、第２ケース部材が対向面部と外周面部とを有してもよい。
【００７８】
組込部材は、赤外線通信用パネルに限定されない。例えば、表示装置やカメラレンズを露出させるために取り付けられる透光性の部材であってもよいし、単に、意匠上の理由から、第１ケース部材とは別個に形成される部材であってもよい。
【００７９】
組込部材は、組込部材の一部が第１ケース部材に挿入されることにより取り付けられてもよいし、第１ケース部材の一部が組込部材に挿入されることにより取り付けられてもよいし、これらが組み合わされてもよい。なお、実施形態では、第１ケース部材の一部が組込部材に挿入される構成の一例として、第１ケース部材としてのリアケース３７の背面部構成面部３７ｂが、組込部材としての赤外線通信用パネル４１の外側当接部５３と内側当接部５５との間に挿入される構成を示した。また、実施形態では、組込部材の一部が第１ケース部材に挿入される構成の一例として、赤外線通信用パネル４１の内側当接部５５が第１ケース部材としてのリアケース３７の位置規制部６５の溝部に挿入される構成を示した。
【００８０】
挿入の際の位置決めは、挿入方向に交差する、適宜な方向においてなされてよい。例えば、実施形態では、第１ケース部材の一部（リアケース３７の背面部構成面部３７ｂの端部）の組込部材への（赤外線通信用パネル４１の外側当接部５３と内側当接部５５との間への）挿入により、主として所定面部（背面部５ｂ）に直交する方向の位置決めがなされ、組込部材の一部（内側当接部５５）の第１ケース部材への（リアケース３７の位置規制部６５の溝部への）挿入により、主として所定面部（背面部５ｂ）及び外周面部の一部（通信面部５ｅ）に沿う方向の位置決めがなされる場合を例示したが、逆に、第１ケース部材の一部の組込部材への挿入により、主として所定面部及び外周面部の一部に沿う方向の位置決めがなされてもよいし、組込部材の一部の第１ケース部材への挿入により、主として所定面部に直交する方向の位置決めがなされてもよい。
【００８１】
上記のような組込部材又は第１ケース部材の一方の一部が他方に挿入されることによる固定は、実施形態のように、ネジなどにより最終的な固定を行う前の仮固定であってもよいし、最終的な固定であってもよい。
【００８２】
外側当接部や内側当接部の数や形状は適宜に設定されてよい。内側当接部が嵌合する穴部（嵌合孔６７）は、抜け穴に限定されず、凹部であってもよい。また、当該穴部に嵌合する内側当接部の突部は、Ｔ字状に限定されず、適宜な形状に設定されてよい。
【図面の簡単な説明】
【００８３】
【図１】本発明の実施形態の携帯電話機の外観を示す斜視図。
【図２】図１の携帯電話機の第２筐体の分解斜視図。
【図３】図１の携帯電話機の赤外線通信用パネルの仮固定前の状態を示す斜視図。
【図４】図１の携帯電話機の赤外線通信用パネルの仮固定後の状態を示す斜視図。。
【図５】仮固定後であって最終的な固定前の赤外線通信用パネルの状態を示す斜視図。
【図６】最終的な固定後の赤外線通信用パネルの状態を示す斜視図。
【図７】図６のＶＩＩ−ＶＩＩ線における断面図。
【図８】図１の携帯電話機のリアパネルの取付前の斜視図。
【図９】図１の携帯電話機のリアパネルの取付後の平面図及び断面図。
【図１０】図１の携帯電話機の信号処理系の構成を示すブロック図。
【図１１】従来技術の赤外線通信用パネルの取付構造を説明する図。
【符号の説明】
【００８４】
１…携帯電話機（電子機器）、５…第２筐体（筐体）、５ａ…正面部（対向面部）、５ｂ…背面部（所定面部）、５ｃ…外周面部、２７…フロントケース（第２ケース部材）、３７…リアケース（第１ケース部材）、３７ｃ…背面部構成面部（所定面部構成面部）、３９…パネル部材（被覆部材）、３９ａ…係合部（被覆係合部）、４１…赤外線通信用パネル（組込部材）、５１…外周面部一部構成部、５３…外側当接部、５５…内側当接部、５７…爪部（組込係合部）、６１…第１板状部（突部）、６３…第２板状部（突部）、６５…位置規制部、６７…嵌合孔（穴部）、６９…背面部一部構成部（被覆部）、１０５…発光素子（赤外線通信部品、電子部品）、１０７…受光素子（赤外線通信部品、電子部品）、ｙ１…取付方向。
【図１】
2009059754.tif 000003
【図２】
2009059754.tif 000004
【図３】
2009059754.tif 000005
【図４】
2009059754.tif 000006
【図５】
2009059754.tif 000007
【図６】
2009059754.tif 000008
【図７】
2009059754.tif 000009
【図８】
2009059754.tif 000010
【図９】
2009059754.tif 000011
【図１０】
2009059754.tif 000012
【図１１】
2009059754.tif 000013